(57)【要約】【課題】紙白の色が異なるメディア間において、紙白周辺の色を、より適切に合わせることを可能とする。【解決手段】画像処理方法は、信号値ｃｍｙｋ０を、Ａ２Ｂテーブル１０１により、ＬＡＢ色空間の色彩値Ｌａｂ１に変換する第１変換工程と、色彩値Ｌａｂ１を、Ｂ２Ａテーブル１０２により、再現対象とする印刷媒体の色空間の信号値ｃｍｙｋ１に変換する第２変換工程と、信号値ｃｍｙｋ１を、Ａ２Ｂテーブル１０３により、ＬＡＢ色空間の色彩値Ｌａｂ２に変換する第３変換工程と、色彩値Ｌａｂ２を、Ｂ２Ａテーブル１０４により、印刷機器従属色空間の信号値ｃｍｙｋ２に変換する第４変換工程と、を含むことを特徴とする。【選択図】図２
2020205539.tif 000002
【特許請求の範囲】
【請求項１】
入力画像データを、第１変換テーブルにより、カラープロファイル接続空間の第１画像データに変換する第１変換工程と、
前記第１画像データを、第２変換テーブルにより、再現対象とする印刷媒体の色空間の第２画像データに変換する第２変換工程と、
前記第２画像データを、第３変換テーブルにより、前記カラープロファイル接続空間の第３画像データに変換する第３変換工程と、
前記第３画像データを、第４変換テーブルにより、印刷機器従属色空間の第４画像データに変換する第４変換工程と、を含むことを特徴とする画像処理方法。
【請求項２】
前記第３変換テーブルおよび前記第４変換テーブルは、絶対的レンダリングインテントに基づく変換テーブルであることを特徴とする請求項１に記載の画像処理方法。
【請求項３】
前記第１変換テーブル、前記第２変換テーブル、前記第３変換テーブル、前記第４変換テーブルは、ＩＣＣプロファイル形式のプロファイルであることを特徴とする請求項１または請求項２に記載の画像処理方法。
【請求項４】
入力画像データを、第１変換テーブルにより、カラープロファイル接続空間の第１画像データに変換する第１変換部と、
前記第１画像データを、第２変換テーブルにより、再現対象とする印刷媒体の色空間の第２画像データに変換する第２変換部と、
前記第２画像データを、第３変換テーブルにより、前記カラープロファイル接続空間の第３画像データに変換する第３変換部と、
前記第３画像データを、第４変換テーブルにより、印刷機器従属色空間の第４画像データに変換する第４変換部と、を備えることを特徴とする画像処理システム。
【請求項５】
前記第１画像データを、第５変換テーブルにより、前記印刷機器従属色空間の第５画像データに変換する第５変換部と、
前記再現対象とする印刷媒体に対応する前記第２変換テーブルの有無の情報に基づき、前記入力画像データの変換を制御する制御部と、を備え、
前記制御部は、
前記有無の情報が有りの場合に、前記入力画像データを、前記第１変換部、前記第２変換部、前記第３変換部、前記第４変換部によって、前記第４画像データに変換し、
前記有無の情報が無しの場合に、前記入力画像データを、前記第１変換部、前記第５変換部によって、前記第５画像データに変換する、ことを特徴とする請求項４に記載の画像処理システム。
【請求項６】
前記再現対象とする印刷媒体の属性情報が入力される入力部を備え、
前記制御部は、入力された前記属性情報に基づき、前記再現対象とする印刷媒体に対応する前記第２変換テーブルの有無を判定することを特徴とする請求項５に記載の画像処理システム。
【請求項７】
コンピューターで動作するプログラムであって、
入力画像データを、第１変換テーブルにより、カラープロファイル接続空間の第１画像データに変換する第１変換機能と、
前記第１画像データを、第２変換テーブルにより、再現対象とする印刷媒体の色空間の第２画像データに変換する第２変換機能と、
前記第２画像データを、第３変換テーブルにより、前記カラープロファイル接続空間の第３画像データに変換する第３変換機能と、
前記第３画像データを、第４変換テーブルにより、印刷機器従属色空間の第４画像データに変換する第４変換機能と、を備えることを特徴とする画像処理プログラム。
【発明の詳細な説明】
【技術分野】
【０００１】
本発明は、デジタルカラーマネジメントにおける画像処理方法、画像処理システム、画像処理プログラムに関する。
【背景技術】
【０００２】
従来、デジタル機器により異なるカラー記述を共通の表色法によってその特性を表すことができるようにしたＩＣＣプロファイルが知られている。
また、例えば、特許文献１には、ＩＣＣプロファイルに記述される入力プロファイルと出力プロファイルの２つのプロファイルを用いて色の再現を行う方法が記述されている。
【先行技術文献】
【特許文献】
【０００３】
【特許文献１】特開２０１６−６３２８７号公報
【発明の概要】
【発明が解決しようとする課題】
【０００４】
しかしながら、色の再現を行うメディアが異なる場合に、メディアの地色の影響によって再現される色合いが変わってしまうという課題があった。
【課題を解決するための手段】
【０００５】
本願の画像処理方法は、入力画像データを、第１変換テーブルにより、カラープロファイル接続空間の第１画像データに変換する第１変換工程と、前記第１画像データを、第２変換テーブルにより、再現対象とする印刷媒体の色空間の第２画像データに変換する第２変換工程と、前記第２画像データを、第３変換テーブルにより、前記カラープロファイル接続空間の第３画像データに変換する第３変換工程と、前記第３画像データを、第４変換テーブルにより、印刷機器従属色空間の第４画像データに変換する第４変換工程と、を含むことを特徴とする。
【０００６】
上記の画像処理方法において、前記第３変換テーブルおよび前記第４変換テーブルは、絶対的レンダリングインテントに基づく変換テーブルであることが好ましい。
【０００７】
上記の画像処理方法において、前記第１変換テーブル、前記第２変換テーブル、前記第３変換テーブル、前記第４変換テーブルは、ＩＣＣプロファイル形式のプロファイルであることが好ましい。
【０００８】
本願の画像処理システムは、入力画像データを、第１変換テーブルにより、カラープロファイル接続空間の第１画像データに変換する第１変換部と、前記第１画像データを、第２変換テーブルにより、再現対象とする印刷媒体の色空間の第２画像データに変換する第２変換部と、前記第２画像データを、第３変換テーブルにより、前記カラープロファイル接続空間の第３画像データに変換する第３変換部と、前記第３画像データを、第４変換テーブルにより、印刷機器従属色空間の第４画像データに変換する第４変換部と、を備えることを特徴とする。
【０００９】
上記の画像処理システムにおいて、前記第１画像データを、第５変換テーブルにより、前記印刷機器従属色空間の第５画像データに変換する第５変換部と、前記再現対象とする印刷媒体に対応する前記第２変換テーブルの有無の情報に基づき、前記入力画像データの変換を制御する制御部と、を備え、前記制御部は、前記有無の情報が有りの場合に、前記入力画像データを、前記第１変換部、前記第２変換部、前記第３変換部、前記第４変換部によって、前記第４画像データに変換し、前記有無の情報が無しの場合に、前記入力画像データを、前記第１変換部、前記第５変換部によって、前記第５画像データに変換する、ことが好ましい。
【００１０】
上記の画像処理システムにおいて、前記再現対象とする印刷媒体の属性情報が入力される入力部を備え、前記制御部は、入力された前記属性情報に基づき、前記再現対象とする印刷媒体に対応する前記第２変換テーブルの有無を判定することが好ましい。
【００１１】
本願の画像処理プログラムは、コンピューターで動作するプログラムであって、入力画像データを、第１変換テーブルにより、カラープロファイル接続空間の第１画像データに変換する第１変換機能と、前記第１画像データを、第２変換テーブルにより、再現対象とする印刷媒体の色空間の第２画像データに変換する第２変換機能と、前記第２画像データを、第３変換テーブルにより、前記カラープロファイル接続空間の第３画像データに変換する第３変換機能と、前記第３画像データを、第４変換テーブルにより、印刷機器従属色空間の第４画像データに変換する第４変換機能と、を備えることを特徴とする。
【図面の簡単な説明】
【００１２】
【図１】実施形態に係る画像処理システムを含む印刷システムの構成を示すブロック図である。
【図２】印刷処理のフローにおける画像処理の概要を示す模式図である。
【図３】印刷を行う場合のＵＩ画面を示す模式図である。
【図４】印刷処理のフローを示すフローチャートである。
【図５】変形例１に係る画像処理システムの概要を示す模式図である。
【図６】変形例１に対応したＵＩ画面を示す模式図である。
【図７】変形例１に対応したＵＩ画面を示す模式図である。
【図８】変形例１に対応した印刷処理のフローを示すフローチャートである。
【図９】変形例２に係る画像処理システムのＵＩ画面を示す模式図である。
【発明を実施するための形態】
【００１３】
以下に本願の発明を具体化した実施形態について、図面を参照して説明する。以下は、本願の発明の一実施形態であって、本願の発明を限定するものではない。
【００１４】
１．実施形態
図１は、実施形態に係る画像処理システム１００を含む印刷システム１の構成を示すブロック図である。
印刷システム１は、画像処理システム１００、および画像処理システム１００に接続される印刷装置２００により構成されている。印刷装置２００は、画像処理システム１００から受信する印刷データに基づいて、印刷媒体に所望の画像を印刷するインクジェットプリンターである。
【００１５】
画像処理システム１００は、制御部としての印刷制御部１１１、入力部１１２、表示部１１３、記憶部１１４などを備え、印刷装置２００に印刷を行わせる印刷ジョブの制御を行う。画像処理システム１００は、好適例としてパーソナルコンピューターを用いて構成している。
画像処理システム１００が動作するソフトウェアには、印刷装置２００に印刷を実行させるための印刷データを生成する機能などを有する画像処理プログラムが含まれる。
【００１６】
印刷制御部１１１は、ＣＰＵ１１５や、ＡＳＩＣ１１６、メモリー１１８、プリンターインターフェイス１１９などを備え、印刷システム１全体の集中管理や制御を行う。ここで、ＣＰＵは、Central Processing Unit、ＡＳＩＣは、Application Specific Integrated Circuitを意味する。
入力部１１２は、情報入力手段である。具体的には、例えば、キーボードやマウスポインター、あるいは情報入力機器が接続されるポートなどである。
表示部１１３は、情報表示手段であり、印刷制御部１１１の制御の基に、入力部１１２から入力される情報や、印刷装置２００に印刷する画像、印刷ジョブに関係する情報などが表示される。
記憶部１１４は、ハードディスクドライブやメモリーカードなどの書き換え可能な記憶媒体であり、印刷制御部１１１で動作するプログラムや、印刷する画像、画像処理で用いられる各種変換テーブル、印刷ジョブに関係する情報などが記憶される。
メモリー１１８は、ＣＰＵ１１５が動作するプログラムを格納する領域や動作する作業領域などを確保する記憶媒体であり、ＲＡＭ、ＥＥＰＲＯＭなどの記憶素子によって構成される。ここで、ＲＡＭは、Random access memory、ＥＥＰＲＯＭは、Electrically Erasable Programmable Read-Only Memoryを意味する。
【００１７】
印刷装置２００は、印刷部１０、移動部２０、プリンター制御部３０などから構成されている。画像処理システム１００から印刷データを受信した印刷装置２００は、印刷データに基づき、プリンター制御部３０によって印刷部１０、移動部２０を制御し、印刷媒体に画像を印刷する。
印刷データは、印刷対象の画像データを、画像処理システム１００が備える画像処理プログラムによって印刷装置２００で印刷できるように変換処理した画像形成用のデータであり、印刷装置２００を制御するコマンドを含んでいる。
【００１８】
印刷部１０は、ヘッドユニット１１、インク供給部１２などから構成されている。
移動部２０は、プリンター制御部３０の制御の下に、印刷媒体とヘッドユニット１１とを相対移動させる。
ヘッドユニット１１は、印刷用のインクをインク滴として吐出する複数のノズルを有する印刷ヘッド１３を備えている。印刷ヘッド１３が、印刷媒体に対して相対移動しながらプリンター制御部３０の制御の下に、印刷媒体にインク滴を吐出することによって、画像データに基づく所望の画像が印刷される。
【００１９】
インク供給部１２は、インクタンクおよびインクタンクから印刷ヘッド１３にインクを供給するインク供給路などを備えている。
インクには、ＣＭＹＫ色空間に基づく画像を形成するインクとして、例えば、シアンＣ、マゼンタＭ、イエローＹ、ブラックＫの印刷色の他、ライトシアンＬｃ、ライトマゼンタＬｍ、ダークイエローＤｙ、ライトブラックＬｋなどのインクを用いる。
【００２０】
プリンター制御部３０は、インターフェイス３１、ＣＰＵ３２、メモリー３３、駆動制御部３４などを備え、印刷装置２００の制御を行う。
インターフェイス３１は、画像処理システム１００のプリンターインターフェイス１１９に接続され、画像処理システム１００と印刷装置２００との間でデータの送受信を行う。
ＣＰＵ３２は、印刷装置２００全体の制御を行うための演算処理装置である。
メモリー３３は、ＣＰＵ３２が動作するプログラムを格納する領域や動作する作業領域などを確保する記憶媒体であり、ＲＡＭ、ＥＥＰＲＯＭなどの記憶素子によって構成される。
ＣＰＵ３２は、メモリー３３に格納されているプログラム、および画像処理システム１００から受信した印刷データに従って、駆動制御部３４を介して印刷部１０、移動部２０を制御する。
【００２１】
駆動制御部３４は、ＣＰＵ３２の制御に基づいて動作するファームウェアを含み、印刷部１０のヘッドユニット１１、インク供給部１２や、移動部２０の駆動を制御する。駆動制御部３４は、移動制御回路３５、吐出制御回路３６、吐出駆動回路３７などを含む駆動制御回路、これら駆動制御回路を制御するファームウェアを内蔵するＲＯＭやフラッシュメモリーなどから構成されている。駆動制御回路を制御するファームウェアを内蔵するＲＯＭやフラッシュメモリーについては、図示を省略している。ここで、ＲＯＭは、Read-Only Memoryを意味する。
【００２２】
移動制御回路３５は、印刷データに基づき、ＣＰＵ３２からの指示に従って、移動部２０を制御する回路である。
吐出制御回路３６は、印刷データに基づき、ＣＰＵ３２からの指示に従って、インクを吐出するノズルの選択、吐出する量の選択、および吐出するタイミングの制御などをする回路である。
吐出駆動回路３７は、印刷ヘッド１３を吐出駆動する回路である。
【００２３】
図２は、印刷処理のフローにおける画像処理の概要を示す模式図である。
以下の説明では、印刷データを生成する処理の内、印刷する入力画像Ｇ０を構成する入力画像データとしての信号値ｃｍｙｋ０から、印刷装置２００が備える各色のインクの吐出量を制御するインク量データｉｎｋを生成する処理について説明する。
【００２４】
画像処理システム１００は、信号値ｃｍｙｋ０を受信し、印刷装置２００が処理可能なインク量データｉｎｋに変換し、印刷装置２００に送信する。
信号値ｃｍｙｋ０は、入力画像Ｇ０を構成するＣＭＹＫ色空間のデータである。なお、入力画像Ｇ０を構成する入力画像データは、ＲＧＢ色空間のデータであっても良い。
印刷装置２００は、インク量データｉｎｋを受信し、インク量データｉｎｋに基づきインクを印刷媒体に付与することで入力画像Ｇ０に対応する印刷画像Ｇ１を生成する。
【００２５】
画像処理システム１００は、機能部として、第１変換部１１０、第２変換部１２０、第３変換部１３０、第４変換部１４０、分版部１６０を備えている。機能部とは、印刷制御部１１１で動作するソフトウェア、あるいはファームウェアで所定の機能を発揮するように構成された部分である。
【００２６】
第１変換部１１０は、信号値ｃｍｙｋ０を、第１変換テーブルとしてのＡ２Ｂテーブル１０１により、カラープロファイル接続空間としてのＬＡＢ色空間における第１画像データとしての色彩値Ｌａｂ１に変換する機能部である。
第２変換部１２０は、色彩値Ｌａｂ１を、第２変換テーブルとしてのＢ２Ａテーブル１０２により、再現対象とする印刷媒体の色空間における第２画像データとしての信号値ｃｍｙｋ１に変換する機能部である。
第３変換部１３０は、信号値ｃｍｙｋ１を、第３変換テーブルとしてのＡ２Ｂテーブル１０３により、ＬＡＢ色空間における第３画像データとしての色彩値Ｌａｂ２に変換する機能部である。
第４変換部１４０は、色彩値Ｌａｂ２を、第４変換テーブルとしてのＢ２Ａテーブル１０４により、印刷機器従属色空間における第４画像データとしての信号値ｃｍｙｋ２に変換する機能部である。
分版部１６０は、信号値ｃｍｙｋ２を、分版テーブル１０６により、インク量データｉｎｋに変換する機能部である。
【００２７】
ここで、入力画像Ｇ０を取り扱う特定の機器に依存するＣＭＹＫ色空間やＲＧＢ色空間などの機器依存色空間に対して、ＬＡＢ色空間は、機器に依存しないＣＩＥ  Ｌ＊ａ＊ｂ＊色空間である。
また、Ａ２Ｂテーブル１０１、Ｂ２Ａテーブル１０２、Ａ２Ｂテーブル１０３、Ｂ２Ａテーブル１０４の各テーブルは、ＩＣＣプロファイル形式のプロファイルである。
ＣＩＥは、国際照明委員会Commission Internationale de l'xclairage、ＩＣＣは、International Color Consortiumである。
【００２８】
また、上記機能部の機能をそれぞれ発揮させるソフトウェアあるいはファームウェアとしての画像処理プログラムは、コンピューターで動作するプログラムであって、信号値ｃｍｙｋ０を、Ａ２Ｂテーブル１０１により、ＬＡＢ色空間の色彩値Ｌａｂ１に変換する第１変換機能と、色彩値Ｌａｂ１を、Ｂ２Ａテーブル１０２により、再現対象とする印刷媒体の色空間の信号値ｃｍｙｋ１に変換する第２変換機能と、信号値ｃｍｙｋ１を、Ａ２Ｂテーブル１０３により、ＬＡＢ色空間の色彩値Ｌａｂ２に変換する第３変換機能と、色彩値Ｌａｂ２を、Ｂ２Ａテーブル１０４により、印刷機器従属色空間の信号値ｃｍｙｋ２に変換する第４変換機能と、を備えているということができる。
【００２９】
Ａ２Ｂテーブル１０１は、信号値ｃｍｙｋ０とＬＡＢ色空間の色彩値Ｌａｂ１とを対応付けるテーブルである。信号値ｃｍｙｋ０は、機器依存色空間の画像データであるため、Ａ２Ｂテーブル１０１は、対応する機器ごとに設けられている。Ａ２Ｂテーブル１０１による信号値ｃｍｙｋ０から色彩値Ｌａｂ１への変換は、相対的レンダリングインテントに基づき行われる。
レンダリングインテントとは、異なる色空間への変換におけるマッピングの方法を特徴付けたものであり、相対的レンダリングインテントでは、変換前後の対応関係において、色域外となる色が、最も近い色域内の色にマッピングされる。また、変換の前後で白点が異なる場合には、白色点の値が変換され、それに応じて他の色の位置関係が変化する。
【００３０】
Ｂ２Ａテーブル１０２は、色彩値Ｌａｂ１と再現対象とする印刷媒体の色空間の信号値ｃｍｙｋ１とを対応付けるテーブルであり、再現対象とする印刷媒体ごとに設けられている。Ｂ２Ａテーブル１０２による色彩値Ｌａｂ１から信号値ｃｍｙｋ１への変換は、相対的レンダリングインテントに基づき行われる。
ここで、再現対象とする印刷媒体とは、実際に印刷する印刷媒体とは異なり、特定の印刷媒体に印刷した場合の印刷画像を再現したい場合の特定の印刷媒体を意味する。例えば、紙白がややグレーがかった新聞紙に印刷した場合の画像を、白色の印刷媒体に再現して印刷したい場合に、新聞紙が、再現対象とする印刷媒体に該当する。
Ｂ２Ａテーブル１０２は、予め、再現対象とする印刷媒体に対して印刷した基準となる評価用の画像を測色するなどの充分な評価を行い、再現対象とする印刷媒体ごとに、色彩値Ｌａｂ１と信号値ｃｍｙｋ１とが対応付けられるテーブルとして準備しておく。
【００３１】
Ａ２Ｂテーブル１０３は、信号値ｃｍｙｋ１とＬＡＢ色空間の色彩値Ｌａｂ２とを対応付けるテーブルである。Ａ２Ｂテーブル１０３による信号値ｃｍｙｋ１から色彩値Ｌａｂ２への変換は、絶対的レンダリングインテントに基づき行われる。
絶対的レンダリングインテントでは、変換の前後において、対応する色域内の色はその色が維持される。従って、紙白が異なる場合であっても、紙白も含めた絶対的な色が維持されるように変換される。
Ｂ２Ａテーブル１０４は、色彩値Ｌａｂ２と印刷装置２００に対応する印刷機器従属色空間の信号値ｃｍｙｋ２とを対応付けるテーブルである。Ｂ２Ａテーブル１０４による色彩値Ｌａｂ２から信号値ｃｍｙｋ２への変換は、絶対的レンダリングインテントに基づき行われる。
すなわち、第３変換テーブルとしてのＡ２Ｂテーブル１０３および第４変換テーブルとしてのＢ２Ａテーブル１０４は、絶対的レンダリングインテントに基づく変換テーブルである。
【００３２】
分版テーブル１０６は、印刷機器従属色空間の信号値ｃｍｙｋ２とインク量データｉｎｋとを対応付けるテーブルである。
【００３３】
図３は、一連の印刷を行う場合の、画像処理システム１００が備える表示部１１３に表示されるＵＩ画面３００を示す模式図である。ＵＩは、User Interfaceを意味する。
図４は、印刷処理のフローを示すフローチャートである。
以上説明した画像処理システム１００による画像処理を含め、すなわち本願の画像処理方法の一例を含め、図３および図４を参照し、一連の印刷フローについて説明する。
印刷システム１のオペレーターは、表示部１１３に表示されるＵＩ画面３００に対して、入力部１１２から所定の指示を入力することで印刷を実行することができる。
【００３４】
まず、オペレーターは、ステップＳ１として、プルダウンメニュー３０１により、記憶部１１４に記憶された画像の中から、印刷対象とする画像を選択する。これにより、画像処理システム１００が処理対象とする入力画像データが決定される。
次に、オペレーターは、ステップＳ２として、プルダウンメニュー３０２により、入力プロファイルを選択する。入力プロファイルは、機器依存色空間とＬＡＢ色空間とを対応付けるテーブル、すなわち、信号値ｃｍｙｋ０と色彩値Ｌａｂ１とを対応付けるＡ２Ｂテーブル１０１を含むＩＣＣプロファイルである。入力プロファイルを選択することにより、Ａ２Ｂテーブル１０１が決定される。
【００３５】
次に、オペレーターは、ステップＳ３として、プルダウンメニュー３０３により、再現対象メディアを選択する。再現対象メディアは、再現対象とする印刷媒体である。プルダウンメニュー３０３により、予め準備された複数の印刷媒体の中から再現対象とする印刷媒体を選択することができる。再現対象メディアを選択することにより、対応するＢ２Ａテーブル１０２およびＡ２Ｂテーブル１０３のセットが含まれるＩＣＣプロファイルが決定される。
【００３６】
次に、オペレーターは、ステップＳ４として、プルダウンメニュー３０４により、出力プロファイルを選択する。出力プロファイルは、ＬＡＢ色空間と機器依存色空間とを対応付けるテーブル、すなわち、色彩値Ｌａｂ２と信号値ｃｍｙｋ２とを対応付けるＢ２Ａテーブル１０４を含むＩＣＣプロファイルである。出力プロファイルを選択することにより、印刷装置２００に対応したＢ２Ａテーブル１０４が決定される。
【００３７】
次に、オペレーターは、ステップＳ５として、選択内容に誤りが無いことを確認し、実行釦３０５により画像処理システム１００に画像変換処理を開始させる。画像変換処理を開始させない場合には、キャンセル釦３０６により、ＵＩ画面３００を終了させることができる。
【００３８】
画像処理システム１００は、ステップＳ６として、オペレーターにより選択された条件で画像処理をスタートする。
まず、画像処理システム１００は、第１変換工程として、信号値ｃｍｙｋ０を、Ａ２Ｂテーブル１０１により、ＬＡＢ色空間の色彩値Ｌａｂ１に変換する。
次に、画像処理システム１００は、第２変換工程として、色彩値Ｌａｂ１を、Ｂ２Ａテーブル１０２により、再現対象とする印刷媒体の色空間の信号値ｃｍｙｋ１に変換する。
次に、画像処理システム１００は、第３変換工程として、信号値ｃｍｙｋ１を、Ａ２Ｂテーブル１０３により、ＬＡＢ色空間の色彩値Ｌａｂ２に変換する。
次に、画像処理システム１００は、第４変換工程として、色彩値Ｌａｂ２を、Ｂ２Ａテーブル１０４により、印刷機器従属色空間の信号値ｃｍｙｋ２に変換する。
次に、画像処理システム１００は、信号値ｃｍｙｋ２を、分版テーブル１０６により、使用するインクごとの階調値に対応するインク量データｉｎｋに変換する。
【００３９】
以上のように、画像処理システム１００は、信号値ｃｍｙｋ０を受信し、印刷装置２００が処理可能なインク量データｉｎｋに変換し、次いで、インク量データｉｎｋに変換された画像データを印刷装置２００に送信する。
印刷装置２００は、インク量データｉｎｋを受信し、ステップＳ７として、インク量データｉｎｋに基づきインクを印刷媒体に付与することで入力画像Ｇ０に対応する印刷画像Ｇ１を生成する。
【００４０】
以上述べたように、本実施形態に係る画像処理方法、画像処理システム、画像処理プログラムによれば、以下の効果を得ることができる。
画像処理方法としては、信号値ｃｍｙｋ０が、再現対象とする印刷媒体の色空間の信号値ｃｍｙｋ１に変換される第２変換工程を経て、印刷を実行する印刷機器従属色空間の信号値ｃｍｙｋ２に変換される。そのため、印刷画像を、再現対象とする印刷媒体に印刷される画像により近い色合いの画像として印刷することができる。
なお、再現対象とする媒体を印刷媒体に限定せずモニターなどの表示媒体として考えた場合に、例えば、再現対象とする表示媒体のＲＧＢ色空間の色彩値ｒｇｂ１に変換される第２変換テーブルを設けることで、モニターと印刷を行う印刷媒体間の色合わせを行うことも可能となる。
【００４１】
また、再現対象とする印刷媒体の色空間の信号値ｃｍｙｋ１をＬＡＢ色空間の色彩値Ｌａｂ２に変換するＡ２Ｂテーブル１０３、およびＬＡＢ色空間の色彩値Ｌａｂ２を印刷機器従属色空間の信号値ｃｍｙｋ２に変換するＢ２Ａテーブル１０４が、絶対的レンダリングインテントに基づく変換テーブルである。そのため、印刷画像の紙白周辺の色合いを、再現対象とする印刷媒体に印刷される画像の紙白周辺の色合いにより近い色合いの画像として印刷することができる。すなわち、紙白周辺の色を適切に合わせることができる。
【００４２】
また、Ａ２Ｂテーブル１０１、Ｂ２Ａテーブル１０２、Ａ２Ｂテーブル１０３、Ｂ２Ａテーブル１０４は、ＩＣＣプロファイル形式のプロファイルである。ＩＣＣプロファイル形式のプロファイルを用いることにより、Ａ２Ｂテーブル１０１、Ｂ２Ａテーブル１０２、Ａ２Ｂテーブル１０３、Ｂ２Ａテーブル１０４を簡便に構成することができる。
【００４３】
また、画像処理システムとしては、信号値ｃｍｙｋ０が、再現対象とする印刷媒体の色空間の信号値ｃｍｙｋ１に変換される第２変換部１２０による処理を経て、印刷を実行する印刷機器従属色空間の信号値ｃｍｙｋ２に変換される。そのため、印刷画像を、再現対象とする印刷媒体に印刷される画像により近い色合いの画像として印刷することができる。
【００４４】
また、画像処理プログラムとしては、本プログラムをコンピューターで動作させることにより、信号値ｃｍｙｋ０が、再現対象とする印刷媒体の色空間の信号値ｃｍｙｋ１に変換される第２変換機能による処理を経て、印刷を実行する印刷機器従属色空間の信号値ｃｍｙｋ２に変換される。そのため、印刷画像を、再現対象とする印刷媒体に印刷される画像により近い色合いの画像として印刷することができる画像データを提供する画像処理システムを構築することができる。
【００４５】
なお、本願の発明は上述した実施形態に限定されず、上述した実施形態に種々の変更や改良などを加えることが可能である。変形例を以下に述べる。上述した実施形態と同一の構成部位については、同一の番号を附し、重複する説明は省略する。
【００４６】
２．変形例１
上述した実施形態では、再現対象として想定される必要充分な印刷媒体に対して、第２変換テーブルとしてのＢ２Ａテーブル１０２が予め完備されている場合の画像処理方法について説明した。つまり、再現対象の印刷媒体に対応したＢ２Ａテーブル１０２が無い場合については考慮されていなかった。変形例として、再現対象としたい印刷媒体に対応したＢ２Ａテーブル１０２が準備されていない場合の対応が考慮された画像処理システム、および画像処理方法について説明する。
【００４７】
図５は、変形例１に係る画像処理システム１００Ａの概要を示す模式図である。
画像処理システム１００Ａは、画像処理システム１００に対して更に第５変換部１５０を備えている。
第５変換部１５０は、色彩値Ｌａｂ１を、第５変換テーブルとしてのＢ２Ａテーブル１０５により、印刷機器従属色空間における第５画像データとしての信号値ｃｍｙｋ３に変換する機能部である。
Ｂ２Ａテーブル１０５は、色彩値Ｌａｂ１と印刷装置２００に対応する印刷機器従属色空間の信号値ｃｍｙｋ３とを対応付けるテーブルである。Ｂ２Ａテーブル１０５による色彩値Ｌａｂ１から信号値ｃｍｙｋ３への変換は、相対的レンダリングインテントに基づき行われる。
【００４８】
また、画像処理システム１００Ａが備える印刷制御部１１１は、再現対象とする印刷媒体に対応するＢ２Ａテーブル１０２の有無の情報に基づき、入力画像データの変換を制御する。
印刷制御部１１１は、再現対象とする印刷媒体に対応するＢ２Ａテーブル１０２の有無の情報が有りの場合に、信号値ｃｍｙｋ０を、第１変換部１１０、第２変換部１２０、第３変換部１３０、第４変換部１４０によって、信号値ｃｍｙｋ２に変換し、有無の情報が無しの場合には、信号値ｃｍｙｋ０を、第１変換部１１０、第５変換部１５０によって、信号値ｃｍｙｋ３に変換する。
また、画像処理システム１００Ａは、有無の情報が無しの場合に、信号値ｃｍｙｋ３を、分版テーブル１０６により、使用するインクごとの階調値に対応するインク量データｉｎｋ２に変換する。
【００４９】
つまり、画像処理システム１００Ａは、印刷する入力画像Ｇ０を構成する信号値ｃｍｙｋ０を受信し、印刷装置２００が処理可能なインク量データｉｎｋ、またはインク量データｉｎｋ２に変換し、印刷装置２００に送信する。
印刷装置２００は、インク量データｉｎｋ、またはインク量データｉｎｋ２を受信し、インク量データｉｎｋに基づきインクを印刷媒体に付与することで入力画像Ｇ０に対応する印刷画像Ｇ１を、またはインク量データｉｎｋ２に基づきインクを印刷媒体に付与することで入力画像Ｇ０に対応する印刷画像Ｇ２を生成する。
【００５０】
図６および図７は、本変形例に対応したＵＩ画面３００Ａを示す模式図である。
また、図８は、本変形例に対応した印刷処理のフローを示すフローチャートである。
これらの図を参照し、本変形例における一連の印刷フローについて説明する。
【００５１】
ステップＳ１，Ｓ２は、上述した実施形態と同じである。
次に、オペレーターは、ステップＳ３Ａとして、再現対象メディアの有無、および再現対象メディアが有る場合の再現対象メディアの選択を行う。具体的には、再現対象メディアが有る場合、すなわち、再現対象とする印刷媒体に対応させたＢ２Ａテーブル１０２が予め準備されている場合には、チェックボックス３０３Ａにチェックを入れる。チェックボックス３０３Ａにチェックが入ると、プルダウンメニュー３０３が有効となり、図７に示すように再現対象メディアの選択が可能となる。
引き続くステップＳ４，Ｓ５は上述した実施形態と同じである。
【００５２】
画像処理システム１００Ａは、画像処理をスタートするに当たり、ステップＳ５Ａとして、再現対象とする印刷媒体に対応するＢ２Ａテーブル１０２の有無を判定し、以降の画像処理フローを変更する。具体的には、画像処理システム１００Ａは、チェックボックス３０３Ａにチェックが入った場合には、Ｂ２Ａテーブル１０２の有無の情報が有りと判定して処理をステップＳ６に進め、チェックボックス３０３Ａにチェックが入っていない場合には、処理をステップＳ６Ａに進める。
【００５３】
ステップＳ６は上述した実施形態と同じである。
ステップＳ６Ａでは、画像処理システム１００Ａは、まず、第１変換工程として、信号値ｃｍｙｋ０を、Ａ２Ｂテーブル１０１により、ＬＡＢ色空間の色彩値Ｌａｂ１に変換する。
次に、画像処理システム１００Ａは、第５変換工程として、色彩値Ｌａｂ１を、Ｂ２Ａテーブル１０５により、印刷機器従属色空間の信号値ｃｍｙｋ３に変換する。
次に、画像処理システム１００Ａは、信号値ｃｍｙｋ３を、分版テーブル１０６により、使用するインクごとの階調値に対応するインク量データｉｎｋ２に変換する。
【００５４】
以上のように、画像処理システム１００Ａは、信号値ｃｍｙｋ０を受信し、再現対象とする印刷媒体に対応するＢ２Ａテーブル１０２が有る場合には、印刷装置２００が処理可能なインク量データｉｎｋに変換し、次いで、インク量データｉｎｋに変換された画像データを印刷装置２００に送信する。また、再現対象とする印刷媒体に対応するＢ２Ａテーブル１０２が無い場合には、印刷装置２００が処理可能なインク量データｉｎｋ２に変換し、インク量データｉｎｋ２に変換された画像データを印刷装置２００に送信する。
印刷装置２００は、ステップＳ７として、インク量データｉｎｋを受信した場合には、インク量データｉｎｋに基づき、インクを印刷媒体に付与することで入力画像Ｇ０に対応する印刷画像Ｇ１を生成する。また、印刷装置２００は、ステップＳ７として、インク量データｉｎｋ２を受信した場合には、インク量データｉｎｋ２に基づき、インクを印刷媒体に付与することで入力画像Ｇ０に対応する印刷画像Ｇ２を生成する。
【００５５】
以上述べたように、本変形例によれば、対応するＢ２Ａテーブル１０２が有る場合には、印刷画像を、再現対象とする印刷媒体に印刷される画像により近い色合いの画像として印刷することができる。また、対応するＢ２Ａテーブル１０２が無い場合には、印刷する印刷媒体の紙白に対応させた色合いで、信号値ｃｍｙｋ０に対応した印刷をすることができる。
【００５６】
３．変形例２
変形例１では、ステップＳ３Ａにおいて、オペレーターは、再現対象メディアの有無、および再現対象メディアが有る場合の再現対象メディアの選択を行うと説明したが、オペレーターは、再現対象メディアの有無、すなわち、再現対象とする印刷媒体に対応させたＢ２Ａテーブル１０２が予め準備されているか否かが分からない場合がある。
変形例２では、再現対象メディアの有無の判断を画像処理システムで行うようにしている。
【００５７】
図９は、変形例２に係る画像処理システム１００ＢのＵＩ画面３００Ｂを示す模式図である。
変形例１では、オペレーターは、ステップＳ３Ａとして、再現対象メディアの有無、および再現対象メディアが有る場合の再現対象メディアの選択を行うと説明したが、本変形例では、オペレーターは、ステップＳ３Ａとして、ＵＩ画面３００Ｂの入力枠３０３Ｂに、入力部１１２によって、直接、再現対象メディアの属性情報を入力する。再現対象メディアの属性情報とは、再現対象メディアとする印刷媒体の種類を特定することができる情報であり、例えば、印刷媒体の名称や製品型番である。画像処理システム１００Ｂが備える印刷制御部１１１は、入力された再現対象メディアの属性情報を参照し、ステップＳ５Ａにて、再現対象メディアに対応させたＢ２Ａテーブル１０２の有無を判定する。
すなわち、変形例２に係る画像処理システム１００Ｂは、再現対象とする印刷媒体の属性情報が入力される入力部１１２を備え、印刷制御部１１１は、入力された属性情報に基づき、再現対象とする印刷媒体に対応するＢ２Ａテーブル１０２の有無を判定することを特徴としている。
【００５８】
本変形例によれば、再現対象とする印刷媒体の属性情報を入力することで、対応するＢ２Ａテーブル１０２の有無が判定され、その結果に基づいた印刷を行うことができる。
なお、印刷制御部１１１は、入力された属性情報に基づき、再現対象とする印刷媒体に対応するＢ２Ａテーブル１０２の有無を判定した際に、変換処理の開始に先立ち、表示部１１３を介して、オペレーターに判定結果を表示し、処理の続行の要否を判断させるようにしても良い。
【００５９】
以下に、上述した実施形態または変形例から導き出される内容を記載する。
【００６０】
本願の画像処理方法は、入力画像データを、第１変換テーブルにより、カラープロファイル接続空間の第１画像データに変換する第１変換工程と、前記第１画像データを、第２変換テーブルにより、再現対象とする印刷媒体の色空間の第２画像データに変換する第２変換工程と、前記第２画像データを、第３変換テーブルにより、前記カラープロファイル接続空間の第３画像データに変換する第３変換工程と、前記第３画像データを、第４変換テーブルにより、印刷機器従属色空間の第４画像データに変換する第４変換工程と、を含むことを特徴とする。
【００６１】
この構成によれば、入力画像データが、再現対象とする印刷媒体の色空間の第２画像データに変換される第２変換工程を経て、印刷を実行する印刷機器従属色空間の第４画像データに変換される。そのため、印刷画像を、再現対象とする印刷媒体に印刷される画像により近い色合いの画像として印刷することができる。
【００６２】
上記の画像処理方法において、前記第３変換テーブルおよび前記第４変換テーブルは、絶対的レンダリングインテントに基づく変換テーブルであることが好ましい。
【００６３】
この構成によれば、再現対象とする印刷媒体の色空間の第２画像データをカラープロファイル接続空間の第３画像データに変換する第３変換テーブル、およびカラープロファイル接続空間の第３画像データを印刷機器従属色空間の第４画像データに変換する第４変換テーブルが、絶対的レンダリングインテントに基づく変換テーブルである。そのため、印刷画像の紙白周辺の色合いを、再現対象とする印刷媒体に印刷される画像の紙白周辺の色合いにより近い色合いの画像として印刷することができる。すなわち、紙白周辺の色を適切に合わせることができる。
【００６４】
上記の画像処理方法において、前記第１変換テーブル、前記第２変換テーブル、前記第３変換テーブル、前記第４変換テーブルは、ＩＣＣプロファイル形式のプロファイルであることが好ましい。
【００６５】
この構成によれば、ＩＣＣプロファイル形式のプロファイルを用いることにより、第１変換テーブル、第２変換テーブル、第３変換テーブル、第４変換テーブルを簡便に構成することができる。
【００６６】
本願の画像処理システムは、入力画像データを、第１変換テーブルにより、カラープロファイル接続空間の第１画像データに変換する第１変換部と、前記第１画像データを、第２変換テーブルにより、再現対象とする印刷媒体の色空間の第２画像データに変換する第２変換部と、前記第２画像データを、第３変換テーブルにより、前記カラープロファイル接続空間の第３画像データに変換する第３変換部と、前記第３画像データを、第４変換テーブルにより、印刷機器従属色空間の第４画像データに変換する第４変換部と、を備えることを特徴とする。
【００６７】
この構成によれば、入力画像データが、再現対象とする印刷媒体の色空間の第２画像データに変換される第２変換部による処理を経て、印刷を実行する印刷機器従属色空間の第４画像データに変換される。そのため、印刷画像を、再現対象とする印刷媒体に印刷される画像により近い色合いの画像として印刷することができる。
【００６８】
上記の画像処理システムにおいて、前記第１画像データを、第５変換テーブルにより、前記印刷機器従属色空間の第５画像データに変換する第５変換部と、前記再現対象とする印刷媒体に対応する前記第２変換テーブルの有無の情報に基づき、前記入力画像データの変換を制御する制御部と、を備え、前記制御部は、前記有無の情報が有りの場合に、前記入力画像データを、前記第１変換部、前記第２変換部、前記第３変換部、前記第４変換部によって、前記第４画像データに変換し、前記有無の情報が無しの場合に、前記入力画像データを、前記第１変換部、前記第５変換部によって、前記第５画像データに変換する、ことが好ましい。
【００６９】
この構成によれば、対応する第２変換テーブルが有る場合には、印刷画像を、再現対象とする印刷媒体に印刷される画像により近い色合いの画像として印刷することができる。また、対応する第２変換テーブルが無い場合には、印刷する印刷媒体の紙白に対応させた色合いで、入力画像データに対応した印刷をすることができる。
【００７０】
上記の画像処理システムにおいて、前記再現対象とする印刷媒体の属性情報が入力される入力部を備え、前記制御部は、入力された前記属性情報に基づき、前記再現対象とする印刷媒体に対応する前記第２変換テーブルの有無を判定することが好ましい。
【００７１】
この構成によれば、再現対象とする印刷媒体の属性情報を入力することで、対応する第２変換テーブルの有無が判定され、その結果に基づいた印刷を行うことができる。
【００７２】
本願の画像処理プログラムは、コンピューターで動作するプログラムであって、入力画像データを、第１変換テーブルにより、カラープロファイル接続空間の第１画像データに変換する第１変換機能と、前記第１画像データを、第２変換テーブルにより、再現対象とする印刷媒体の色空間の第２画像データに変換する第２変換機能と、前記第２画像データを、第３変換テーブルにより、前記カラープロファイル接続空間の第３画像データに変換する第３変換機能と、前記第３画像データを、第４変換テーブルにより、印刷機器従属色空間の第４画像データに変換する第４変換機能と、を備えることを特徴とする。
【００７３】
この構成によれば、本プログラムをコンピューターで動作させることにより、入力画像データが、再現対象とする印刷媒体の色空間の第２画像データに変換される第２変換機能による処理を経て、印刷を実行する印刷機器従属色空間の第４画像データに変換される。そのため、印刷画像を、再現対象とする印刷媒体に印刷される画像により近い色合いの画像として印刷することができる画像データを提供する画像処理システムを構築することができる。
【符号の説明】
【００７４】
１…印刷システム、１００…画像処理システム、１０１…Ａ２Ｂテーブル、１０２…Ｂ２Ａテーブル、１０３…Ａ２Ｂテーブル、１０４…Ｂ２Ａテーブル、１０５…Ｂ２Ａテーブル、１０６…分版テーブル、１１０…第１変換部、１１１…印刷制御部、１１２…入力部、１１３…表示部、１１４…記憶部、１１５…ＣＰＵ、１１８…メモリー、１１９…プリンターインターフェイス、１２０…第２変換部、１３０…第３変換部、１４０…第４変換部、１５０…第５変換部、１６０…分版部、２００…印刷装置、３００…ＵＩ画面。
【図１】
2020205539.tif 000003
【図２】
2020205539.tif 000004
【図３】
2020205539.tif 000005
【図４】
2020205539.tif 000006
【図５】
2020205539.tif 000007
【図６】
2020205539.tif 000008
【図７】
2020205539.tif 000009
【図８】
2020205539.tif 000010
【図９】
2020205539.tif 000011